(57)【要約】【課題】薄明視環境下でのまぶしさを軽減することができる照明装置を提供する。【解決手段】照明装置１０は、主に鉛直方向下側を照射する第２グローブ部３１ｂと、第２グローブ部３１ｂよりも水平方向寄りに照射するとともに照射角度が狭く、暗所視輝度及び明所視輝度の比率であるＳ／Ｐ比が低い第１グローブ部３１ａとを備える。【選択図】図１
2012227041.tif 000002
【特許請求の範囲】
【請求項１】
主に鉛直方向下側を照射する下側照射部と、
前記下側照射部よりも水平方向寄りに照射するとともに照射角度が狭く、暗所視輝度及び明所視輝度の比率であるＳ／Ｐ比が低い上側照射部と
を備えたことを特徴とする照明装置。
【請求項２】
請求項１に記載の照明装置において、
前記上側照射部は、該上側照射部から照射される光の輝度が前記下側照射部の輝度よりも低くなるように構成されたことを特徴とする照明装置。
【請求項３】
請求項１又は２に記載の照明装置において、
前記上側照射部は、該上側照射部の照射角度が水平方向を基準として２５〜３５度の範囲となるように構成されたことを特徴とする照明装置。
【請求項４】
請求項１〜３のいずれか一項に記載の照明装置において、
前記下側照射部は、該下側照射部の水平方向に対する照射角度が３０度〜９０度の範囲に設定され、
前記上側照射部は、該上側照射部の水平方向に対する照射角度が０度〜３０度の範囲に設定されたことを特徴とする照明装置。
【請求項５】
請求項４に記載の照明装置において、
前記下側照射部に対応する下側光源部と、前記上側照射部に対応する上側光源部とを備えたことを特徴とする照明装置。
【発明の詳細な説明】
【技術分野】
【０００１】
本発明は、主として薄明視環境下で用いられる照明装置に関するものである。
【背景技術】
【０００２】
蛍光灯や発光ダイオード（ＬＥＤ素子）等の種々の照明装置では、一般的に明るい環境（明所視）においては明所視輝度を高める様な設計がなされている。これは明所視において明るさを知覚する錐体を働かせるためであり、明所視輝度を高めることで人がより明るさを知覚することができる。
【０００３】
しかしながら、夜間の街路空間や道路空間などの所謂薄明視環境下においては、分光視感効率のピーク値が５５５ｎｍである前記錐体に加えて分光視感効率のピーク値が５０７ｎｍである桿体が働くため、明所視輝度だけを高めてもその効果は低い。
【０００４】
そこで、例えば特許文献１の照明装置では、光を照射する照射部（光源部）のＳ／Ｐ比を高めることで、薄明視環境下において周辺視野の視認性向上を図っている。なお、Ｓ／Ｐ比とは、暗所視での分光視感効率にランプの分光特性を積算して算出される暗所視輝度Ｌｓと、明所視での分光視感効率Ｖ（λ）にランプの分光特性を積算して算出される明所視輝度Ｌｐとの比（Ｌｓ／Ｌｐ）のことである。
【先行技術文献】
【特許文献】
【０００５】
【特許文献１】特表２０１０−２０３３８５号公報
【発明の概要】
【発明が解決しようとする課題】
【０００６】
ところで、上記のような照明装置では、照射部（光源部）のＳ／Ｐ比を高めているため、照射される光の中に含まれる短波長成分が相対的に多くなる。これにより、まぶしさを感じやすくなるため、照明装置が人の視野内にある際、照明装置の光を不快に感じる虞がある。
【０００７】
本発明は、上記課題を解決するためになされたものであって、その目的は、薄明視環境下でのまぶしさを軽減させて不快感を抑えることが可能な照明装置を提供することにある。
【課題を解決するための手段】
【０００８】
上記課題を解決するために、本発明の照明装置は、主に鉛直方向下側を照射する下側照射部と、前記下側照射部よりも水平方向寄りに照射するとともに照射角度が狭く、暗所視輝度及び明所視輝度の比率であるＳ／Ｐ比が低い上側照射部とを備えたことを特徴とする。
【０００９】
また上記構成において、上側照射部は、該上側照射部から照射される光の輝度が前記下側照射部の輝度よりも低くなるように構成されることが好ましい。
また上記構成において、上側照射部は、該上側照射部の照射角度が水平方向を基準として２５〜３５度の範囲となるように構成されることが好ましい。
【００１０】
また上記構成において、下側照射部は、該下側照射部の水平方向に対する照射角度が３０度〜９０度の範囲に設定され、前記上側照射部は、該上側照射部の水平方向に対する照射角度が０度〜３０度の範囲に設定されることが好ましい。
【００１１】
また上記構成において、下側照射部に対応する下側光源部と、前記上側照射部に対応する上側光源部とを備えることが好ましい。
【発明の効果】
【００１２】
本発明によれば、薄明視環境下でのまぶしさを軽減することができる照明装置を提供することができる。
【図面の簡単な説明】
【００１３】
【図１】（ａ）は本実施形態における照明装置の概略構成図であり、（ｂ）は照明装置の断面図ある。
【図２】照明装置のグローブ部に用いられるフィルタ部について説明するための特性図である。
【図３】（ａ）（ｂ）は別例における照明装置の断面図である。
【図４】別例における照明装置の断面図である。
【図５】別例における照明装置の断面図である。
【発明を実施するための形態】
【００１４】
以下、本発明を具体化した一実施形態を図面に従って説明する。
図１（ａ）（ｂ）に示すように、本実施形態の照明装置１０は、円柱状のポール部１１と、このポール部１１の先端に取り付けられる装置本体部１２とを備える。
【００１５】
ポール部１１は、例えば道路灯や街路灯として用いられ、前記装置本体部１２が人の身長よりも高い位置に設置可能な高さとなるように構成される。
装置本体部１２は、筐体２０と、この筐体２０内に設けられる点灯回路２１と、この点灯回路２１にて点灯及び消灯が制御されるＬＥＤ素子からなる発光部２２とを備えている。
【００１６】
筐体２０は、前記ポール部１１に対してねじ等で組み付けられる略半球状の筐体本体３０と、この筐体本体３０に略半球状のグローブ部３１とで構成される。
筐体本体３０は、前記ポール部１１に設置された状態で上部側が半円状で下部側が略平面状となるような半球状を成して、例えば前記下面に前記点灯回路２１及び発光部２２が設けられている。
【００１７】
グローブ部３１は、前記筐体本体３０の下部に取り付けられる半球状のアクリル又はガラスなどの透明で透光性を有する材質で構成される。このグローブ部３１は、前記筐体本体３０に取り付けられる第１グローブ部３１ａとこの第１グローブ部３１ａから連続する第２グローブ部３１ｂとが一体形成されて構成される。
【００１８】
第１グローブ部３１ａは、前記発光部２２から出射される光を前記第２グローブ部３１ｂと比較して水平方向寄り（鉛直方向上側）となるように照射するように構成される。具体的には、第１グローブ部３１ａは、水平方向に対する照射角度θａが略０度（水平方向）〜３０度の範囲に設定されて、照射角度が水平方向を基準として略３０度、つまり水平方向から略３０度の範囲となるように構成される。照射範囲としては０度〜３０度及び１５０度〜１８０度となり略６０度の範囲を照射するようになっている。
【００１９】
また第１グローブ部３１ａには、図２に示すように短波長の光の透過率が長波長の光の透過率よりも低い特性を持つフィルタ部（図示略）が設けられている。このため、発光部２２から出射される光を比較的水平方向に照射する第１グローブ部３１ａは、同材質で構成される第２グローブ部３１ｂから照射される光と比較してＳ／Ｐ比が抑えられることとなる。
【００２０】
一方、第２グローブ部３１ｂは、前記発光部２２から出射される光を主に鉛直方向下側に照射するように構成される。具体的には、第２グローブ部３１ｂは、鉛直方向下側である水平方向に対する角度９０度を含み、水平方向に対する照射角度θｂが略３０度〜９０度（鉛直方向）に設定される。このため、第２グローブ部３１ｂの照射範囲となる角度としては３０度〜９０度と逆側である１５０度〜９０度を合わせた略１２０度の範囲を照射するように構成される。
【００２１】
次に、本実施形態の作用を説明する。
図１に示すように本実施形態の照明装置１０は、図示しない電源からの電力供給に基づいて点灯回路２１を介して点灯回路２１と電気的に接続される発光部２２が点灯されたり、消灯されたりする。発光部２２にて発光された光は筐体２０を構成する第１及び第２グローブ部３１ａ、３１ｂを透光されて外部に照射される。このとき、第１グローブ部３１ａを通る光は、第１グローブ部３１ａに設けられる前記フィルタ部により短波長成分が低減されるため、Ｓ／Ｐ比が抑えられる。
【００２２】
次に、本実施形態の特徴的な効果を記載する。
（１）本実施形態では、主に鉛直方向下側を照射する第２グローブ部３１ｂと、第２グローブ部３１ｂよりも水平方向寄りに照射するとともに照射角度が狭く、暗所視輝度及び明所視輝度の比率であるＳ／Ｐ比が低い第１グローブ部３１ａとを備える。このような構成とすることで、水平方向寄りに照射される光のＳ／Ｐ比が抑えられてまぶしさを軽減させることができる。これにより、例えば道路照明として用いる場合には、比較的遠方から運転者の視界に本照明装置１０が入っても視環境を向上させることができる。また、本照明装置１０からの光が漏れて近隣住宅の室内に入り込んだ場合でもＳ／Ｐ比が抑えられているため室内空間に居る人に対して睡眠妨害となるようなことを低減させることができる。
【００２３】
（２）本実施形態では、第１グローブ部３１ａにフィルタを設けて、この第１グローブ部３１ａから照射される光の輝度が第２グローブ部３１ｂの輝度よりも低くなるように構成される。このように輝度を抑えることで、減能グレアを抑えることができ、視認性の向上に寄与することができる。
【００２４】
（３）本実施形態では、第１グローブ部３１ａの照射角度が水平方向を基準として３０度の範囲となるように構成される。より具体的には、第２グローブ部３１ｂは、その水平方向に対する照射角度が３０〜９０度に設定され、第１グローブ部３１ａは、その水平方向に対する照射角度が０〜３０度に設定される。このような構成とすることで、車を運転する運転者の視界に入りやすい水平方向から略３０度の範囲についてのまぶしさを軽減させることができる。
【００２５】
尚、本発明の実施形態は、以下のように変更してもよい。
・上記実施形態では、上側照射部を構成する第１グローブ部３１ａの照射角度を水平方向を基準として３０度に設定したが、これに限らず２５〜３５度内のいずれかに適宜設定を変更してもよい。このような構成とすることで、近年の車両の意匠性の多様化に対応することができる。
【００２６】
・上記実施形態では、１つの光源部（発光部２２）を設ける構成としたが、図３（ｂ）に示すように複数の光源部（発光部２２）を設ける構成を採用してもよい。なお、図３（ａ）に示すように一方向から見た場合に複数の光源部（発光部２２）が重なるように、つまり一方向に複数の光源部（発光部２２）を配置する構成を採用してもよい。もちろん、二次元方向に複数の光源部（発光部２２）を配置する構成を採用してもよい。
【００２７】
また、複数の光源部を設ける場合、図４及び図５に示すように、グローブ部４１はフィルタ部等を設けずに一様に形成し、上側光源部としての複数の上側発光部２２ａと、下側光源部としての下側発光部２２ｂとを備える構成を採用してもよい。
【００２８】
図４に示すように、下側発光部２２ｂは、１つの光源からなり、この発光部２２ｂの点灯並びに消灯を制御する点灯回路２１ｂと電気的に接続されて、主に鉛直方向下側を照射するように発光部２２ｂの向きが調整されて配置される。そして、上側発光部２２ａは、複数の光源からなり、この発光部２２ａの点灯並びに消灯を制御する点灯回路２１ａと電気的に接続されて前記下側発光部２２ｂよりも水平方向寄りを照射するように発光部２２ａの向きが調整されて配置される。このとき、上側発光部２２ａは、下側発光部２２ｂと比較してＳ／Ｐ比の低い光源が用いられている。
【００２９】
このような構成とすることで、上側及び下側照射部として複数の発光部２２ａ，２２ｂを設けることでグローブ部３１の特定部位（上記実施形態では第１グローブ部３１ａ）にフィルタ等を設ける必要が無い。なお、上記構成では、下側発光部２２ｂを１つ設ける構成としたが、図５に示すように複数の発光部２２ｂ（光源部）を設ける構成を採用してもよい。この場合、例えば、１つの点灯回路２１ｃ上に上側及び下側照射部を構成する発光部２２ａ，２２ｂを設けてもよい。
【００３０】
・上記実施形態では、フィルタ部について具体的に言及していないが、その一例としては５００ｎｍ以下の光を著しく減少させる構成や、輝度や照度に大きく影響するのは５５５ｎｍn以下の光を減少させる構成としてもよい。
【００３１】
・上記実施形態では、発光部２２（光源部）としてＬＥＤ素子を採用したが、これに限らず、蛍光灯や有機ＥＬ（Electro Luminescence）素子等のその他の光源にて発光部（光源部）を構成してもよい。
【符号の説明】
【００３２】
１０…照明装置、２２ａ…上側発光部（上側光源部及び上側照射部）、２２ｂ…下側発光部（下側光源部及び下側照射部）、３１ａ…第１グローブ部（上側照射部）、３１ｂ…第２グローブ部（下側照射部）、θａ，θｂ…照射角度。
【図１】
2012227041.tif 000003
【図２】
2012227041.tif 000004
【図３】
2012227041.tif 000005
【図４】
2012227041.tif 000006
【図５】
2012227041.tif 000007